(57)【特許請求の範囲】
【請求項１】
データを配信するデータ配信装置と、複数のユーザ端末とがネットワークを介して接続されたデータ配信システムであって、
上記データ配信装置は、
複数の情報元から集められた複数の分類のデータを、情報元、データ分類ごとに分類して保持する記憶手段と、
個々のユーザ或いはユーザ端末ごとに、ユーザ或いはユーザ端末に提供するデータの情報元、データ分類、データのプリントアウトする用紙のサイズ、およびプリントアウトする順番を記憶する管理手段と、
上記複数のユーザ端末のうちいずれかのユーザ端末から要求があったとき、その要求元のユーザ或いはユーザ端末を認識し、上記管理手段により記憶されている情報元、データ分類に従って上記記憶手段に保持されたデータをピックアップして、上記管理手段により記憶されているプリントアウトする用紙のサイズ、およびプリントアウトする順番でプリントアウトされるように当該ユーザ端末へ配信する配信手段と、を有することを特徴とするデータ配信システム。
【請求項２】
複数のユーザ端末にネットワークを介してデータを配信するデータ配信装置であって、
複数の情報元から集められた複数の分類のデータを、情報元、データ分類ごとに分類して保持する記憶手段と、
配信先の個々のユーザ或いはユーザ端末ごとに、ユーザ或いはユーザ端末に提供するデータの情報元、データ分類、データのプリントアウトする用紙のサイズ、およびプリントアウトする順番を記憶する管理手段と、
上記複数のユーザ端末のうちいずれかのユーザ端末から要求があったとき、その要求元のユーザ或いはユーザ端末を認識し、上記管理手段により記憶されている情報元、データ分類に従って上記記憶手段に保持されたデータをピックアップして、上記管理手段により記憶されているプリントアウトする用紙のサイズ、およびプリントアウトする順番でプリントアウトされるように当該ユーザ端末へ配信する配信手段と、を有することを特徴とするデータ配信装置。
【請求項３】
前記管理手段は、さらにデータのプリントアウトする文字のサイズを記憶し、
前記配信手段は、記管理手段により記憶されているプリントアウトする文字のサイズでプリントアウトされるようにすることを特徴とする請求項２に記載のデータ配信装置。
【請求項４】
上記データ配信装置に情報元、データ分類ごとに分類して保持されたデータには情報料が設定されており、上記ユーザ端末に配信するデータに応じて情報料を設定する設定手段を備えたことを特徴とする請求項２に記載のデータ配信装置。
【請求項５】
上記情報料の設定を、その配信先の数により変更させる変更手段を備えたことを特徴とする請求項４に記載のデータ配信装置。
【請求項６】
上記管理手段により記憶されている情報元、データ分類、プリントアウトする用紙のサイズ、およびプリントアウトする順番を、上記ユーザ端末或いは上記ネットワークに接続する情報処理装置により、上記ネットワークを介して変更することを特徴とする請求項２に記載のデータ配信装置。
【請求項７】
上記配信手段は、印刷装置或いは表示装置にデータを配信することを特徴とする請求項２に記載のデータ配信装置。
【請求項８】
複数のユーザ端末にネットワークを介してデータを配信するデータ配信装置の制御方法であって、
上記データ配信装置が、
複数の情報元から集められた複数の分類のデータを、情報元、データ分類ごとに分類して記憶手段に保持する工程と、
配信先の個々のユーザ或いはユーザ端末ごとに、ユーザ或いはユーザ端末に提供するデータの情報元、データ分類、データのプリントアウトする用紙のサイズ、およびプリントアウトする順番を管理手段に記憶する工程と、
上記複数のユーザ端末のうちいずれかのユーザ端末から要求があったとき、その要求元のユーザ或いはユーザ端末を認識し、上記管理手段により記憶されている情報元、データ分類に従って上記記憶手段に保持されたデータをピックアップして、上記管理手段により記憶されているプリントアウトする用紙のサイズ、およびプリントアウトする順番でプリントアウトされるように当該ユーザ端末へ配信する工程と、を実行することを特徴とするデータ配信装置の制御方法。
【請求項９】
複数のユーザ端末にネットワークを介してデータを配信する処理をコンピュータに実行させるコンピュータプログラムであって、
複数の情報元から集められた複数の分類のデータを、情報元、データ分類ごとに分類して記憶手段に保持する工程と、
配信先の個々のユーザ或いはユーザ端末ごとに、ユーザ或いはユーザ端末に提供するデータの情報元、データ分類、データのプリントアウトする用紙のサイズ、およびプリントアウトする順番を管理手段に記憶する工程と、
上記複数のユーザ端末のうちいずれかのユーザ端末から要求があったとき、その要求元のユーザ或いはユーザ端末を認識し、上記管理手段により記憶されている情報元、データ分類に従って上記記憶手段に保持されたデータをピックアップして、上記管理手段により記憶されているプリントアウトする用紙のサイズ、およびプリントアウトする順番でプリントアウトされるように当該ユーザ端末へ配信する工程と、をコンピュータに実行させることを特徴とするコンピュータプログラム。
【発明の詳細な説明】
【０００１】
【発明の属する技術分野】
本発明は、データ配信システム、データ配信装置及びその制御方法、並びにコンピュータプログラムに係り、複数の情報元から集めた情報を、複数のユーザ端末に個別に配信するのに用いて好適なものに関する。
【０００２】
【従来の技術】
従来、ネットワークを利用して情報を収集するには、ネットワークに接続したＰＣ(パーソナルコンピュータ)を利用して行うことができた。この場合には、個人の取得したい情報のキーワードを入力し、そのキーワードが含まれているウェブサイトを検索してダウンロードを行う方法や、新聞社のウェブサイトにアクセスして情報を収集する方法があった。
【０００３】
例えば、特開平１０−２５４９１２号公報には、ウェブサイトからデータを検索し、個人化したフォーマットで出力する方式や、ウェブ上のオンラインニュースサービスからニュース記事を検索して取出し、個人化したフォーマットで出力する方式が記載されている。
【０００４】
また、ネットワークを利用しない情報の収集の方法として一般的なものは、新聞があった。
【０００５】
【発明が解決しようとする課題】
しかしながら、ウェブサイトを検索して情報を収集する方式では、自分の知りたい情報を検索することになるため、自分の知らない新しい情報が抜け落ちる可能性があった。また、新聞社のウェブサイトを見る方法では、ウェブサイトには大きなニュースの項目のみの掲載がなされているだけなので、情報収集に抜けがある場合があった。
【０００６】
ネットワークを利用しない情報収集手段の一つである新聞の場合は、購読の単位が一紙であるので、自分の興味のない分野の情報があっても購入しなければならなかったり、複数のジャンルに興味がある場合は、それらのジャンルの詳しい情報が掲載されている複数の新聞を購読しなければならなかったりする等の不具合があった。
【０００７】
本発明は上記のような点に鑑みてなされたものであり、所望の分野の情報については複数の情報元から情報を収集できるようにして、抜けのない情報収集が可能となるようにすることを目的とする。
【０００８】
【課題を解決するための手段】
本発明のデータ配信システムは、データを配信するデータ配信装置と、複数のユーザ端末とがネットワークを介して接続されたデータ配信システムであって、上記データ配信装置は、複数の情報元から集められた複数の分類のデータを、情報元、データ分類ごとに分類して保持する記憶手段と、個々のユーザ或いはユーザ端末ごとに、ユーザ或いはユーザ端末に提供するデータの情報元、データ分類、データのプリントアウトする用紙のサイズ、およびプリントアウトする順番を記憶する管理手段と、
上記複数のユーザ端末のうちいずれかのユーザ端末から要求があったとき、その要求元のユーザ或いはユーザ端末を認識し、上記管理手段により記憶されている情報元、データ分類に従って上記記憶手段に保持されたデータをピックアップして、上記管理手段により記憶されているプリントアウトする用紙のサイズ、およびプリントアウトする順番でプリントアウトされるように当該ユーザ端末へ配信する配信手段と、を有することを特徴とする。
【０００９】
また、本発明のデータ配信装置は、複数のユーザ端末にネットワークを介してデータを配信するデータ配信装置であって、複数の情報元から集められた複数の分類のデータを、情報元、データ分類ごとに分類して保持する記憶手段と、配信先の個々のユーザ或いはユーザ端末ごとに、ユーザ或いはユーザ端末に提供するデータの情報元、データ分類、データのプリントアウトする用紙のサイズ、およびプリントアウトする順番を記憶する管理手段と、上記複数のユーザ端末のうちいずれかのユーザ端末から要求があったとき、その要求元のユーザ或いはユーザ端末を認識し、上記管理手段により記憶されている情報元、データ分類に従って上記記憶手段に保持されたデータをピックアップして、上記管理手段により記憶されているプリントアウトする用紙のサイズ、およびプリントアウトする順番でプリントアウトされるように当該ユーザ端末へ配信する配信手段と、を有することを特徴とする。
【００１０】
また、本発明のデータ配信装置の制御方法は、複数のユーザ端末にネットワークを介してデータを配信するデータ配信装置の制御方法であって、上記データ配信装置が、複数の情報元から集められた複数の分類のデータを、情報元、データ分類ごとに分類して記憶手段に保持する工程と、配信先の個々のユーザ或いはユーザ端末ごとに、ユーザ或いはユーザ端末に提供するデータの情報元、データ分類、データのプリントアウトする用紙のサイズ、およびプリントアウトする順番を管理手段に記憶する工程と、上記複数のユーザ端末のうちいずれかのユーザ端末から要求があったとき、その要求元のユーザ或いはユーザ端末を認識し、上記管理手段により記憶されている情報元、データ分類に従って上記記憶手段に保持されたデータをピックアップして、上記管理手段により記憶されているプリントアウトする用紙のサイズ、およびプリントアウトする順番でプリントアウトされるように当該ユーザ端末へ配信する工程と、を実行することを特徴とする。
【００１１】
また、本発明のコンピュータプログラムは、複数のユーザ端末にネットワークを介してデータを配信する処理をコンピュータに実行させるコンピュータプログラムであって、複数の情報元から集められた複数の分類のデータを、情報元、データ分類ごとに分類して記憶手段に保持する工程と、配信先の個々のユーザ或いはユーザ端末ごとに、ユーザ或いはユーザ端末に提供するデータの情報元、データ分類、データのプリントアウトする用紙のサイズ、およびプリントアウトする順番を管理手段に記憶する工程と、上記複数のユーザ端末のうちいずれかのユーザ端末から要求があったとき、その要求元のユーザ或いはユーザ端末を認識し、上記管理手段により記憶されている情報元、データ分類に従って上記記憶手段に保持されたデータをピックアップして、上記管理手段により記憶されているプリントアウトする用紙のサイズ、およびプリントアウトする順番でプリントアウトされるように当該ユーザ端末へ配信する工程と、をコンピュータに実行させることを特徴とする。
【００１８】
【発明の実施の形態】
以下、図面を参照して、本発明のデータ配信システム、装置、方法、コンピュータプログラム、及びコンピュータ読み取り可能な記憶媒体の実施の形態について説明する。
【００１９】
図１には、本実施の形態のデータ配信システムの構成を示す。同図において、１０１はインターネット等のネットワーク、１０２は各家庭にあるプリンタ（本発明でいうユーザ端末に相当）、１０３はデータ配信元のサーバ（本発明でいうデータ配信装置に相当）である。サーバ１０３は、情報元、情報分類（ジャンル）ごとに分類してデータを保持する記憶部１０４と、個々のユーザ端末ごとに情報元と情報分類を管理するユーザ管理部１０５とを備えている。
【００２０】
１０６はサーバ１０３に情報を提供する情報元、１０７は情報元１０６からサーバ１０３へ情報を送付するためのデータ通信回線である。
【００２１】
以下、具体的な例として、新聞の紙面の内容をデータ配信するシステムであるとして説明する。図２には、データ配信システムにおけるサーバ１０３の記憶部１０４のデータ構造例を示す。記憶部１０４では、情報元として、新聞社ごとに分類し（２０１）、また、情報分類（ジャンル）として、経済面、社会面等の新聞紙面ごとに分類して（２０２）、データを保持している。また、分類された新聞紙面に対応付けて、情報料として単価が設定されている（２０３）。
【００２２】
さらに、記憶部１０４では、新聞紙面に掲載されている広告や新聞の折り込み広告に相当する広告データも保持している（２０４、２０５）。ユーザは、これらの情報もピックアップして配信を依頼することが可能である。これら広告は、新聞紙面の配信と異なり、配信を依頼すると購読料から減額されるようにされており、広告内容（ジャンル）と対応付けて割引値が設定されている（２０６）。
【００２３】
情報元の新聞社としては、いわゆる複数の全国紙だけではなく、複数の地方紙(２０７)や各業界紙等も含まれている。これにより、ユーザの選択の範囲を広げている。
【００２４】
また、折り込み広告の広告データも、地域（２０９）、ジャンル（２０８）ごとに分類している。これにより、ユーザの利便性を向上させている。例えば、Ａ地域に在住のユーザがＢ地域の不動産を捜しているような場合に、通常の新聞を購読していた場合であれば現在在住のＡ地域周辺の折り込み広告しか得られないが、本システムのユーザになることで、Ｂ地域の不動産広告も容易に取得することが可能となる。
【００２５】
図３には、データ配信システムにおけるサーバ１０３のユーザ管理部１０５のデータ構造例を示す。ユーザ管理部１０５では、新聞の紙面データの配信を受けるユーザごとに新聞名（情報元）と紙面名（情報分類（ジャンル））が記憶されている（３０１）。その内容は、例えば、Ａ新聞の社会面と、Ｂ新聞の経済面等といった内容になる。本システムでは、上述の通り新聞の紙面ごとに単価が設定されており、ユーザ管理部１０５では、ユーザがピックアップした紙面の単価の合計が、購読料に相当する価格として記憶されている（３０２）。
【００２６】
図４には、ユーザが所有、管理するプリンタ１０２（ここでは、符号４０１を付する）の構成例を示す。同図において、４０２、４０３はサーバ１０３と接続するための通信網及び通信回線である。４０４は情報処理部であり、サーバ１０３との通信制御を始めとするプリンタ全体の制御と送受信データの処理を行う。４０５は計時手段であり、定時にプリンタがサーバ１０３にアクセスする際に情報処理部に通知する。４０６はサーバ１０３との通信を行う通信インターフェースである。
【００２７】
４０７はプリンタの状態やサーバ１０３から受信した設定データを表示する表示部である。４０８はデータ設定等を行う際に使用する入力部である。４０９は記憶部であり、サーバ１０３から受信したデータを一時記憶するとともに、サーバ１０３と通信状態になった際に、サーバ１０３がプリンタを識別するためにサーバ１０３へ通知するプリンタ固有のＩＤを記憶している。４１０は受信したデータを紙に出力する出力部である。
【００２８】
上記のような構成としたユーザ所有のプリンタ１０２で、サーバ１０３からのデータ配信を受けて新聞のデータを出力するわけであるが、出力の形式として、新聞紙面と同じ形式(組み方)であれば、多くの情報を早く把握することが可能である。
【００２９】
次に、図５のフローチャートを参照して、データ配信のための処理動作について説明する。サーバ１０３は、情報元である各新聞社等に情報を配信するよう要求を出す（ステップ５０１）。要求を受けた情報元である新聞社は、データ通信回線１０７を通じてサーバ１０３に対してデータを送付する（ステップ５０２）。新聞紙面のデータを受け取ったサーバ１０３は、そのデータを記憶部１０４に記憶する（ステップ５０３）。このとき、各地域の折り込み広告のデータも記憶部１０４に記憶する。
【００３０】
一方、ユーザ側では、プリンタ１０２内にある情報処理部４０４の計時手段４０５が、あらかじめ設定してある時刻になると、ネットワーク１０１を介してサーバ１０３に接続要求を出す（ステップ５０４）。接続要求を受けたサーバ１０３は、情報処理部４０４に対してＩＤを通知するように要求する（ステップ５０５）。
【００３１】
情報処理部４０４がＩＤをサーバ１０３へ通知すると（ステップ５０６）、ＩＤを通知されたサーバ１０３は、接続してきたプリンタ１０２がどのプリンタであるかを認識し、サーバ１０３のユーザ管理部１０５で管理、記憶してある登録データから、配布すべきデータの分類（情報元、ジャンル）を引き出し、該当するデータをデータ記憶部１０４からピックアップする（ステップ５０７）。プリンタ１０２の情報処理部４０４は、ピックアップされたデータをネットワーク１０１を介してダウンロードする（ステップ５０８）。そして、ダウンロードしたデータは、プリンタ１０２でプリントアウトされる（ステップ５０９）。
【００３２】
なお、購読期間の単位期間が終了すると、サーバ１０３のユーザ管理部１０５は、データ配布した記事の分類単位の単価を合計し、ユーザに情報料を請求する。
【００３３】
次に、図６のフローチャートを参照して、登録データの変更のための処理動作について説明する。ユーザはＰＣ(パーソナルコンピュータ)等の情報処理装置を有しており、ネットワーク１０１を介してサーバ１０３へ接続できる、或いは、ユーザの有している印刷装置或いは表示装置に、ネットワーク１０１を介してサーバ１０３との接続を行うことが可能な情報処理部が含まれているものとする。
【００３４】
情報処理装置は、ネットワーク１０１を介してサーバ１０３に接続要求を出す（ステップ６０１）。接続要求を受けたサーバ１０３は、情報処理装置に対してＩＤを通知するように要求する（ステップ６０２）。情報処理装置がＩＤをサーバ１０３へ通知すると（ステップ６０３）、ＩＤを通知されたサーバ１０３は、そのＩＤに対応するプリンタ１０２がどのプリンタであるかを認識し、サーバ１０３のユーザ管理部１０５で管理、記憶してある登録データから、配布すべきデータの分類情報（情報元、ジャンル）を引き出す（ステップ６０４）。
【００３５】
ユーザ管理部１０５から引き出された登録データは、ユーザの情報処理装置に送信され（ステップ６０５）、情報処理装置の表示部に表示される（ステップ６０６）。これにより、ユーザは現在登録されている内容を知ることができる。ユーザが内容の変更を希望する場合は、情報処理装置の入力部からデータを入力し変更する（ステップ６０７）。変更されたデータはネットワーク１０１を介してサーバ１０３へ通知され（ステップ６０８）、サーバ１０３のユーザ管理部１０５に新たに記憶される（ステップ６０９）。
【００３６】
これにより、サーバ１０３は新たに記憶された登録データに基づいて、次回以降のデータ配信を行うことが可能となる。すなわち、図５において説明したように、データ配布を行う際、接続してきたプリンタ１０２がどのプリンタであるかを認識し、サーバ１０３のユーザ管理部１０５で管理、記憶してある登録データから、配布すべきデータの分類（情報元、ジャンル）を引き出し、該当するデータをサーバ１０３の記憶部１０４からピックアップするが、このとき、ユーザ管理部１０５から引き出す分類情報が新たな情報になっているので、ユーザには変更後の配布データで配布されることになる。
【００３７】
なお、ここでは、分類（情報元、ジャンル）を変更する例を説明したが、それ以外にも、サーバ１０３のユーザ管理部１０５で管理、記憶している登録データには、データの分類ごとに、プリントアウトするサイズ（図３を参照）、順番（図３を参照）、データ配布時刻等が登録されている。この場合に、これらサイズ、順番、データ配布時刻の変更を希望する際は、図６に示したフローチャートに従って、ネットワーク１０１を介して変更することができるようにしてもよい。
【００３８】
図７には、ユーザ管理部１０５から引き出された登録データの表示例を示す。７０１は表示部全体である。７０２〜７０５は、それぞれ購読項目（情報元、ジャンル）、単価、出力サイズと文字サイズ、出力の順番である。７０６は購読料金の合計である。７０７はカーソルであり、図示しない入力手段により移動させて、変更する項目の値を変更する。７０８は現在設定されている配布時刻で、同様にカーソルを移動させて入力することにより変更可能である。
【００３９】
図７において、それぞれの単価は購読の項目により決定しているので変更は不可能であるが、合計金額をユーザが入力し、サーバ１０３に通知することで、それに応じて購読の項目をサーバ１０３側で自動選択するサービスを実行することも可能である。
【００４０】
なお、以上述べた機能以外に、他の機能を付加させてもよい。例えば、サーバ１０３のユーザ管理部１０５は、各ユーザが配布を希望しているデータを、データの分類ごとに集計する機能を有していることとする。サーバ１０３は計時手段を有し、一定期間ごとに、上記集計手段の結果、すなわちデータ配布を希望しているユーザ数（配信先数）に基づき、配布データの価格を変更する。変更の方法としては、配布希望が多いデータの単価を下げる方法や、配布希望の少ないデータの単価を下げて希望者を増やす方向に導く方法等がある。
【００４１】
また、サーバ１０３を管理するデータ配信元から情報元への情報提供の料金の流れは、データの配布を受けるユーザからの料金を配信元が受領しその一部を情報元へ支払うことになるが、ここでも料金の支払い方法に複数の例が考えられる。すなわち、収集した料金を定率で情報元に支払う方法や、情報元への支払いは一定額にする方法等がある。この場合は、データの配布を受けるユーザの数により収支の均衡をとるようにデータ配信元がユーザへの配布料金を設定する必要がある。さらに、データ配布を希望しているユーザの数に基づき配布データの価格を変更する方法を、データ配信元と情報元の関係にも導入する方法がある。この方法を適応させると、ユーザ数の少ない(人気のない)情報を安い料金でデータ配信元が購入することも可能である。
【００４２】
なお、上記実施の形態では、プリンタ１０２がサーバ１０３へ通知するＩＤはプリンタ固有のものであり、プリンタ1台に対して１ユーザが登録されている例で説明したが、プリンタ１０２を複数のユーザが共有するものとして、ＩＤをそれぞれ複数のユーザ固有に割り当てるようにすることも可能である。ＩＤをユーザ固有とすると、サーバ１０３側のユーザ管理部１０５は、ユーザ個人ごとの配布データを記憶することとなり、それにより、例えば、1台のプリンタを家族で共用する例では、同じ情報（新聞の紙面）であっても、家族個人ごとに印刷のサイズ(文字サイズ)を変更することも可能となる。
【００４３】
（その他の実施の形態）
上述した実施の形態の機能を実現するべく各種のデバイスを動作させるように、該各種デバイスと接続された装置或いはシステム内のコンピュータに対し、上記実施の形態の機能を実現するためのソフトウェアのプログラムコードを供給し、そのシステム或いは装置のコンピュータ（ＣＰＵ或いはＭＰＵ）に格納されたプログラムに従って上記各種デバイスを動作させることによって実施したものも、本発明の範疇に含まれる。
【００４４】
また、この場合、上記ソフトウェアのプログラムコード自体が上述した実施の形態の機能を実現することになり、そのプログラムコード自体は本発明を構成する。そのプログラムコードの伝送媒体としては，プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００４５】
さらに、上記プログラムコードをコンピュータに供給するための手段、例えばかかるプログラムコードを格納した記録媒体は本発明を構成する。かかるプログラムコードを記憶する記録媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００４６】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることはいうまでもない。
【００４７】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施の形態の機能が実現される場合にも本発明に含まれることはいうまでもない。
【００４８】
なお、上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。
【００４９】
【発明の効果】
以上説明したように本発明によれば、ユーザは希望の情報元からの希望ジャンルの情報を、希望するプリントアウトの用紙のサイズ、およびプリントアウトする順番で取得することが可能となり、効果的な情報提供を実現できる。
【図面の簡単な説明】
【図１】実施の形態のデータ配信システムの構成を示す図である。
【図２】サーバ１０３の記憶部１０４のデータ構造例を示す図である。
【図３】サーバ１０３のユーザ管理部１０５のデータ構造例を示す図である。
【図４】プリンタの構成例を示す図である。
【図５】データ配信のための処理動作を示すフローチャートである。
【図６】登録データの変更のための処理動作を示すフローチャートである。
【図７】ユーザ管理部１０５から引き出された登録データの表示例を示す図である。
【符号の説明】
１０１    ネットワーク
１０２    プリンタ
１０３    サーバ
１０４    記憶部
１０５    ユーザ管理部
１０６    情報元
１０７    データ通信回線
【図１】
0004794747.tif 000002
【図２】
0004794747.tif 000003
【図３】
0004794747.tif 000004
【図４】
0004794747.tif 000005
【図５】
0004794747.tif 000006
【図６】
0004794747.tif 000007
【図７】
0004794747.tif 000008